【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
各種画像を表示可能な表示領域を有する表示装置と、
遊技の進行を制御する主制御基板と、
該主制御基板からのコマンドに基づいて、前記表示装置の表示制御を行う周辺制御基板と、
を備える遊技機であって、
前記遊技機は、さらに、
予め定めた固定位置に取り付けられる当該遊技機の対面に着座する遊技者の動作を検出可能な非接触式の測距センサと、
島設備から供給される電源電圧から当該遊技機に共通に供給される共通制御電源電圧を作成する第１の電源基板と、
前記共通制御電源電圧から当該共通制御電源電圧より低い前記測距センサへ供給するための測距センサ用電源電圧を作成する測距センサ用電源電圧作成回路部を有する電源制御回路が設けられる第２の電源基板と、
前記測距センサの近傍に配置されるとともに、前記測距センサ用電源電圧が印加されることにより当該測距センサの補助電源として機能する電解コンデンサが設けられる補助電源基板と、
を備え、
前記電源制御回路から供給される前記測距センサ用電源電圧は、前記電解コンデンサに印加されて充電されてから前記測距センサに供給され、
前記電源制御回路は、さらに、
前記周辺制御基板からの電源電圧作成信号が入力されているときには前記共通制御電源電圧が前記測距センサ用電源電圧作成回路部に印加されるように電気的に接続する一方、前記周辺制御基板からの電源電圧非作成信号が入力されているときには前記共通制御電源電圧が前記測距センサ用電源電圧作成回路部に印加されないように電気的に遮断するスイッチ回路部
を備え、
前記測距センサと当該測距センサの近傍に配置される前記補助電源基板とを電気的に接続する配線の長さは、当該測距センサと前記周辺制御基板とを直接電気的に接続した場合における配線の長さよりも短くなるとともに、その配線の長さにより前記第２の電源基板から供給される前記測距センサ用電源電圧が低下して電圧ドロップが生じても当該補助電源基板に設けられる前記電解コンデンサで補うことができ、
前記周辺制御基板は、少なくとも、
前記測距センサからの検出信号に基づいて前記遊技者の動作の有無を判定する動作有無判定制御手段と、
前記主制御基板からのコマンドに基づいて、前記表示装置の表示領域に表示する内容に前記遊技者の動作を反映させる特定演出を実行するか否かを決定する特定演出実行決定制御手段と、
前記表示装置の表示領域に表示する内容に前記遊技者の動作を反映させる特定演出を実行している際に、前記動作有無判定制御手段が前記測距センサからの検出信号に基づいて前記遊技者の動作がないと判定したときには当該遊技者の動作による変化が与えられていない通常画像を当該表示装置の表示領域に表示する一方、前記動作有無判定制御手段が前記測距センサからの検出信号に基づいて前記遊技者の動作があると判定したときには当該遊技者の動作による変化が与えられていない通常画像から当該遊技者の動作による変化が与えられている反映画像に切り替えて当該表示装置の表示領域に表示する画像切替表示制御手段と、
前記測距センサへの電力供給を停止するために前記電源電圧非作成信号を前記スイッチ回路部に出力する電力供給停止制御手段と、
該電力供給停止制御手段によって停止されている前記測距センサへの電力供給の停止を強制的に解除するために前記電源電圧作成信号を前記スイッチ回路部に出力する電力供給停止強制解除制御手段と、
を備え、
前記特定演出実行決定制御手段は、前記主制御基板からのコマンドに基づいて、前記表示装置の表示領域に表示する内容に前記遊技者の動作を反映させる特定演出を実行しないと決定したときには前記電力供給停止制御手段が前記測距センサへの電力供給を停止するために前記電源電圧非作成信号を前記スイッチ回路部に出力する一方、前記表示装置の表示領域に表示する内容に前記遊技者の動作を反映させる特定演出を実行すると決定したときには前記電力供給停止強制解除制御手段が前記電力供給停止制御手段によって停止されている前記測距センサへの電力供給の停止を強制的に解除するために前記電源電圧作成信号を前記スイッチ回路部に出力し、
前記特定演出実行決定制御手段は、さらに、前記主制御基板からのコマンドに基づいて前記表示装置の表示領域に表示する内容に前記遊技者の動作を反映させる特定演出を実行すると決定し、前記電力供給停止強制解除制御手段が前記電力供給停止制御手段によって停止されている前記測距センサへの電力供給の停止を強制的に解除した場合であっても、該特定演出が終了すると、当該電力供給停止制御手段が前記測距センサへの電力供給を停止するために前記電源電圧非作成信号を前記スイッチ回路部に出力することを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技盤に測距センサが設けられる遊技機に関するものである。
【手続補正４】
【補正対象書類名】明細書
【補正対象項目名】０００７
【補正方法】変更
【補正の内容】
【０００７】
本発明は、このような事情に鑑みてなされたものであり、その目的とするところは、測距センサの寿命による動作不良を防止するとともに測距センサを演出用のセンサとして斬新に用いることができる遊技機を提供することにある。
【手続補正５】
【補正対象書類名】明細書
【補正対象項目名】０００９
【補正方法】変更
【補正の内容】
【０００９】
（解決手段１）
各種画像を表示可能な表示領域を有する表示装置と、遊技の進行を制御する主制御基板と、該主制御基板からのコマンドに基づいて、前記表示装置の表示制御を行う周辺制御基板と、を備える遊技機であって、前記遊技機は、さらに、予め定めた固定位置に取り付けられる当該遊技機の対面に着座する遊技者の動作を検出可能な非接触式の測距センサと、島設備から供給される電源電圧から当該遊技機に共通に供給される共通制御電源電圧を作成する第１の電源基板と、前記共通制御電源電圧から当該共通制御電源電圧より低い前記測距センサへ供給するための測距センサ用電源電圧を作成する測距センサ用電源電圧作成回路部を有する電源制御回路が設けられる第２の電源基板と、前記測距センサの近傍に配置されるとともに、前記測距センサ用電源電圧が印加されることにより当該測距センサの補助電源として機能する電解コンデンサが設けられる補助電源基板と、を備え、前記電源制御回路から供給される前記測距センサ用電源電圧は、前記電解コンデンサに印加されて充電されてから前記測距センサに供給され、前記電源制御回路は、さらに、前記周辺制御基板からの電源電圧作成信号が入力されているときには前記共通制御電源電圧が前記測距センサ用電源電圧作成回路部に印加されるように電気的に接続する一方、前記周辺制御基板からの電源電圧非作成信号が入力されているときには前記共通制御電源電圧が前記測距センサ用電源電圧作成回路部に印加されないように電気的に遮断するスイッチ回路部を備え、前記測距センサと当該測距センサの近傍に配置される前記補助電源基板とを電気的に接続する配線の長さは、当該測距センサと前記周辺制御基板とを直接電気的に接続した場合における配線の長さよりも短くなるとともに、その配線の長さにより前記第２の電源基板から供給される前記測距センサ用電源電圧が低下して電圧ドロップが生じても当該補助電源基板に設けられる前記電解コンデンサで補うことができ、前記周辺制御基板は、少なくとも、前記測距センサからの検出信号に基づいて前記遊技者の動作の有無を判定する動作有無判定制御手段と、前記主制御基板からのコマンドに基づいて、前記表示装置の表示領域に表示する内容に前記遊技者の動作を反映させる特定演出を実行するか否かを決定する特定演出実行決定制御手段と、前記表示装置の表示領域に表示する内容に前記遊技者の動作を反映させる特定演出を実行している際に、前記動作有無判定制御手段が前記測距センサからの検出信号に基づいて前記遊技者の動作がないと判定したときには当該遊技者の動作による変化が与えられていない通常画像を当該表示装置の表示領域に表示する一方、前記動作有無判定制御手段が前記測距センサからの検出信号に基づいて前記遊技者の動作があると判定したときには当該遊技者の動作による変化が与えられていない通常画像から当該遊技者の動作による変化が与えられている反映画像に切り替えて当該表示装置の表示領域に表示する画像切替表示制御手段と、前記測距センサへの電力供給を停止するために前記電源電圧非作成信号を前記スイッチ回路部に出力する電力供給停止制御手段と、該電力供給停止制御手段によって停止されている前記測距センサへの電力供給の停止を強制的に解除するために前記電源電圧作成信号を前記スイッチ回路部に出力する電力供給停止強制解除制御手段と、を備え、前記特定演出実行決定制御手段は、前記主制御基板からのコマンドに基づいて、前記表示装置の表示領域に表示する内容に前記遊技者の動作を反映させる特定演出を実行しないと決定したときには前記電力供給停止制御手段が前記測距センサへの電力供給を停止するために前記電源電圧非作成信号を前記スイッチ回路部に出力する一方、前記表示装置の表示領域に表示する内容に前記遊技者の動作を反映させる特定演出を実行すると決定したときには前記電力供給停止強制解除制御手段が前記電力供給停止制御手段によって停止されている前記測距センサへの電力供給の停止を強制的に解除するために前記電源電圧作成信号を前記スイッチ回路部に出力し、前記特定演出実行決定制御手段は、さらに、前記主制御基板からのコマンドに基づいて前記表示装置の表示領域に表示する内容に前記遊技者の動作を反映させる特定演出を実行すると決定し、前記電力供給停止強制解除制御手段が前記電力供給停止制御手段によって停止されている前記測距センサへの電力供給の停止を強制的に解除した場合であっても、該特定演出が終了すると、当該電力供給停止制御手段が前記測距センサへの電力供給を停止するために前記電源電圧非作成信号を前記スイッチ回路部に出力することを特徴とする遊技機。
【手続補正６】
【補正対象書類名】明細書
【補正対象項目名】００１０
【補正方法】変更
【補正の内容】
【００１０】
この遊技機では、表示装置、主制御基板及び周辺制御基板を備えている。表示装置は、各種画像を表示することができる表示領域を有している。主制御基板は、遊技の進行の制御を行っている。周辺制御基板は、主制御基板からのコマンドに基づいて、表示装置の表示制御を行っている。
【手続補正７】
【補正対象書類名】明細書
【補正対象項目名】００１１
【補正方法】変更
【補正の内容】
【００１１】
遊技機は、さらに、非接触式の測距センサが予め定めた固定位置に取り付けられている。この測距センサは、遊技機の対面に着座する遊技者の手又は腕の動きによる遊技者の動作を検出することができるようになっている。
遊技機は、さらに、第１の電源基板、第２の電源基板、補助電源基板を備えている。第１の電源基板は、島設備から供給される電源電圧から遊技機に共通に供給される共通制御電源電圧を作成している。第２の電源基板は、共通制御電源電圧からこの共通制御電源電圧より低い測距センサへ供給するための測距センサ用電源電圧を作成する測距センサ用電源電圧作成回路部を有する電源制御回路が設けられている。補助電源基板は、測距センサの近傍に配置されるとともに、測距センサ用電源電圧が印加されることにより測距センサの補助電源として機能する電解コンデンサが設けられている。
電源制御回路から供給される測距センサ用電源電圧は、電解コンデンサに印加されて充電されてから測距センサに供給されるようになっている。
電源制御回路は、さらに、スイッチ回路部を備えている。スイッチ回路部は、周辺制御基板からの電源電圧作成信号が入力されているときには共通制御電源電圧が測距センサ用電源電圧作成回路部に印加されるように電気的に接続する一方、周辺制御基板からの電源電圧非作成信号が入力されているときには共通制御電源電圧が測距センサ用電源電圧作成回路部に印加されないように電気的に遮断することができるようになっている。
測距センサと測距センサの近傍に配置される補助電源基板とを電気的に接続する配線の長さは、測距センサと周辺制御基板とを直接電気的に接続した場合における配線の長さよりも短くなるとともに、その配線の長さにより第２の電源基板から供給される測距センサ用電源電圧が低下して電圧ドロップが生じても補助電源基板に設けられる電解コンデンサで補うことができるようになっている。
【手続補正８】
【補正対象書類名】明細書
【補正対象項目名】００１２
【補正方法】変更
【補正の内容】
【００１２】
周辺制御基板は、少なくとも、動作有無判定制御手段、特定演出実行決定制御手段、画像切替表示制御手段、電力供給停止制御手段、電力供給停止強制解除制御手段、を備えている。動作有無判定制御手段は、測距センサからの検出信号に基づいて遊技者の動作の有無を判定するものである。特定演出実行決定制御手段は、主制御基板からのコマンドに基づいて、表示装置の表示領域に表示する内容に遊技者の動作を反映させる特定演出を実行するか否かを決定するものである。画像切替表示制御手段は、表示装置の表示領域に表示する内容に遊技者の動作を反映させる特定演出を実行している際に、動作有無判定制御手段が測距センサからの検出信号に基づいて遊技者の動作がないと判定したときには遊技者の動作による変化が与えられていない通常画像を表示装置の表示領域に表示する一方、動作有無判定制御手段が測距センサからの検出信号に基づいて遊技者の動作があると判定したときには遊技者の動作による変化が与えられていない通常画像から遊技者の動作による変化が与えられている反映画像に切り替えて表示装置の表示領域に表示するものである。電力供給停止制御手段は、測距センサへの電力供給を停止するために電源電圧非作成信号をスイッチ回路部に出力するものである。電力供給停止強制解除制御手段は、電力供給停止制御手段によって停止されている測距センサへの電力供給の停止を強制的に解除するために電源電圧作成信号をスイッチ回路部に出力するものである。
【手続補正９】
【補正対象書類名】明細書
【補正対象項目名】００１３
【補正方法】変更
【補正の内容】
【００１３】
特定演出実行決定制御手段は、主制御基板からのコマンドに基づいて、表示装置の表示領域に表示する内容に遊技者の動作を反映させる特定演出を実行しないと決定したときには、電力供給停止制御手段が測距センサへの電力供給を停止するために電源電圧非作成信号をスイッチ回路部に出力するようになっている。一方、特定演出実行決定制御手段は、主制御基板からのコマンドに基づいて、表示装置の表示領域に表示する内容に遊技者の動作を反映させる特定演出を実行すると決定したときには、電力供給停止強制解除制御手段が、電力供給停止制御手段によって停止されている測距センサへの電力供給の停止を強制的に解除するために電源電圧作成信号をスイッチ回路部に出力するようになっている。
特定演出実行決定制御手段は、さらに、主制御基板からのコマンドに基づいて、表示装置の表示領域に表示する内容に遊技者の動作を反映させる特定演出を実行すると決定し、電力供給停止強制解除制御手段が電力供給停止制御手段によって停止されている測距センサへの電力供給の停止を強制的に解除した場合であっても、この特定演出が終了すると、電力供給停止制御手段が測距センサへの電力供給を停止するために電源電圧非作成信号をスイッチ回路部に出力するようになっている。
【手続補正１０】
【補正対象書類名】明細書
【補正対象項目名】００１４
【補正方法】変更
【補正の内容】
【００１４】
このように、表示装置の表示領域に表示する内容に遊技者の動作を反映させる特定演出を実行する場合には、測距センサへの電力供給の停止が解除されるようになっており、測距センサが通電される期間が限定されている。これにより、測距センサが通電される状態を短くすることができるため、測距センサの総通電時間を小さく抑えることができる。測距センサの総通電時間が小さく抑えられることによって、測距センサの総通電時間が測距センサの通電寿命時間に達するおそれがなくなるため、測距センサの寿命による動作不良が生じるおそれがない。また、非接触式の測距センサを演出用のセンサとして用いることによって、遊技者の動作を検出することができるため、遊技者の動作による変化が与えられていない通常画像から遊技者の動作による変化が与えられている反映画像に切り替えて表示装置の表示領域に表示することができる。したがって、測距センサの寿命による動作不良を防止するとともに測距センサを演出用のセンサとして斬新に用いることができる。
また、特定演出を実行すると決定し、測距センサへの電力供給の停止を強制的に解除した場合であっても、この特定演出が終了すると、測距センサへの電力供給を停止することができるようになっている。
【手続補正１１】
【補正対象書類名】明細書
【補正対象項目名】００１５
【補正方法】変更
【補正の内容】
【００１５】
本実施形態では、例えば、図１６の液晶表示器１１６が表示装置に相当し、図３の主制御基板１０１が主制御基板に相当し、図３のサブ統合基板１１１、及び液晶制御基板１１３等が周辺制御基板に相当し、図１のパチンコ機１が遊技機に相当し、図２の測距センサ１１９が測距センサに相当し、図１５のパチンコ島設備（ＡＣ２４Ｖ）が「パチンコ島設備から供給される電源電圧」に相当し、図１５の＋１８Ｖが共通制御電源電圧に相当し、図１５の電源基板２７３が第１の電源基板に相当し、図１８の供給電圧作成回路１１２ｘｂで作成される＋５Ｖが測距センサ用電源電圧に相当し、図１８の供給電圧作成回路１１２ｘｂが測距センサ用電源電圧作成回路部に相当し、図１８の電源制御回路１１２ｘが電源制御回路に相当し、図１５のランプ駆動基板１１２が第２の電源基板に相当し、図１８の電解コンデンサＥＣが電解コンデンサに相当し、図１５のＬＥＤ基板１１８ａが補助電源基板に相当し、図１８のサブ統合基板１１１からパワーオフ信号ＰＷＲ−ＯＦＦが出力されないときが「周辺制御基板からの電源電圧作成信号が入力されているとき」に相当し、図１８のサブ統合基板１１１からパワーオフ信号ＰＷＲ−ＯＦＦが出力されているときが「周辺制御基板からの電源電圧非作成信号が入力されているとき」に相当し、図１８のスイッチ回路１１２ｘａがスイッチ回路部に相当し、図２６のリセット処理におけるステップＳ１０８の３２ｍｓの定常処理の一処理である動作有無判定処理が動作有無判定制御手段に相当し、図２６のリセット処理におけるステップＳ１０８の３２ｍｓの定常処理の一処理である特定演出実行決定処理が特定演出実行決定制御手段に相当し、図２６のリセット処理におけるステップＳ１０８の３２ｍｓの定常処理の一処理である画像切替表示処理が画像切替表示制御手段に相当し、図２６のリセット処理におけるステップＳ１０８の３２ｍｓの定常処理の一処理である電力供給停止処理が電力供給停止制御手段に相当し、図２６のリセット処理におけるステップＳ１０８の３２ｍｓの定常処理の一処理である電力供給停止強制解除処理が電力供給停止強制解除制御手段に相当する。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
本発明の遊技機においては、測距センサの寿命による動作不良を防止するとともに測距センサを演出用のセンサとして斬新に用いることができる。
【手続補正１７】
【補正対象書類名】明細書
【補正対象項目名】０１５４
【補正方法】変更
【補正の内容】
【０１５４】
［８−６−３．電源制御回路］
電源制御回路１１２ｘは、図１８に示すように、ＰＮＰ型のトランジスタＴＲ１を主とするスイッチ回路１１２ｘａと、測距センサ１１９に供給する電圧を作成する３端子レギュレータＩＣ１（本実施形態では、東京芝浦電気製：ＴＡ７８Ｍ０５）を主とする供給電圧作成回路１１２ｘｂと、を備えて構成されている。
【手続補正１８】
【補正対象書類名】明細書
【補正対象項目名】０１５５
【補正方法】変更
【補正の内容】
【０１５５】
［８−６−３（ａ）．スイッチ回路］
スイッチ回路１１２ｘａは、図１８に示すように、抵抗Ｒ１，Ｒ２、トランジスタＴＲ１を備えて構成されている。サブ統合基板１１１から出力されたパワーオフ信号ＰＷＲ−ＯＦＦを伝送するパワーオフ信号ラインは、レベルコンバータ部１１２ｅ及びシュミットトリガ部１１２ｆを介して、抵抗Ｒ１の一端と電気的に接続されている。この抵抗Ｒ１の他端は、トランジスタＴＲ１のベースと電気的に接続されている。トランジスタＴＲ１のエミッタは、＋１８Ｖの電源供給ラインと電気的に接続されるほか、抵抗Ｒ２の一端とも電気的に接続されている。この抵抗Ｒ２の他端は、トランジスタＴＲ１のベースと抵抗Ｒ１とを電気的に接続するパワーオフ信号ラインと電気的に接続されている。トランジスタＴＲ１のコレクタは、供給電圧作成回路１１２ｘｂと電気的に接続されている。
【手続補正１９】
【補正対象書類名】明細書
【補正対象項目名】０１５６
【補正方法】変更
【補正の内容】
【０１５６】
［８−６−３（ｂ）．供給電圧作成回路］
供給電圧作成回路１１２ｘｂは、図１８に示すように、電解コンデンサＣ１，Ｃ４、コンデンサＣ２、Ｃ３、ダイオードＤ１、３端子レギュレータＩＣ１を備えて構成されている。トランジスタＴＲ１のコレクタは、グランド（ＧＮＤ）と接地された電解コンデンサＣ１と電気的に接続されている。この電解コンデンサＣ１により、トランジスタＴＲ１のコレクタから供給される電圧の電源供給ラインのリップル（電圧に畳重された交流成分）が除去されて平滑化されている。さらに、グランドと接地されたコンデンサＣ２により電源供給ラインの高周波成分が除去されている（コンデンサＣ２は、ローパスフィルタとして機能している）。このように平滑化され、かつ、ノイズが除去された電源供給ラインは、抵抗Ｒ３の一端と電気的に接続され、この抵抗Ｒ３の他端が３端子レギュレータＩＣ１の入力端子と電気的に接続されており、抵抗Ｒ３が３端子レギュレータＩＣの入力端子と電気的に直列接続されている。３端子レギュレータの接地端子は、グランドと接地されている。
【手続補正２０】
【補正対象書類名】明細書
【補正対象項目名】０１５８
【補正方法】変更
【補正の内容】
【０１５８】
３端子レギュレータＩＣ１の出力端子から出力される＋５Ｖは、グランドと接地されたコンデンサＣ３により高周波成分が除去され（コンデンサＣ３は、ローパスフィルタとして機能している。）、さらに、グランドと接地された電解コンデンサＣ４によりリップルが除去されて平滑化されている。この平滑化された＋５Ｖは、ＬＥＤ基板１１８ａに供給されるようになっており、グランドと接地された電解コンデンサＥＣと電気的に接続されている。この電解コンデンサＥＣは、測距センサ１１９と電気的に接続されており、３端子レギュレータＩＣ１で作成された＋５Ｖが測距センサ１１９に供給されている。このように、３端子レギュレータＩＣ１で作成された＋５Ｖは、一旦、ＬＥＤ基板１１８ａに実装された電解コンデンサＥＣで充電されてから測距センサ１１９に供給されるようになっているため、電解コンデンサＥＣが測距センサ１１９に対しての補助電源となっている。これにより、３端子レギュレータＩＣ１の出力端子から出力される＋５Ｖが一時的に不安定になってもＬＥＤ基板１１８ａに実装された電解コンデンサＥＣにより補助されることで安定化された＋５Ｖが測距センサ１１９に供給されるようになっている。なお、ランプ駆動基板１１２、ＬＥＤ基板１１８ａ及び測距センサ１１９の各グランドは、電気的に接続されており、同一グランドとなっている。
【手続補正２１】
【補正対象書類名】明細書
【補正対象項目名】０１６１
【補正方法】変更
【補正の内容】
【０１６１】
［８−６−４．ワンショットマルチバイブレータ回路］
ワンショットマルチバイブレータ回路１１２ｘは、図１８に示すように、抵抗Ｒ４〜Ｒ８、コンデンサＣ５〜Ｃ８、ダイオードＤ２、ＮＰＮ型のトランジスタＴＲ２、マルチバイブレータＩＣ２（本実施形態では、東京芝浦電気製：ＴＣ７４ＶＨＣ１２３）を備えて構成されている。測距センサ１１９からの検出信号である測距センサ検出信号を伝送する測距センサ検出信号ラインが＋５Ｖに電圧が引き上げられた抵抗Ｒ４と電気的に接続されている。この＋５Ｖに引き上げられた電圧は、抵抗Ｒ５の一端と電気的に接続されている。この抵抗５の他端は、グランドと接地された抵抗Ｒ６と電気的に接続され、さらにグランドと接地されたコンデンサＣ５と電気的に接続され、そしてダイオードＤ２のアソード端子と電気的に接続されている。グランドと接地されたコンデンサＣ５により、測距センサ検出信号ラインの高周波成分が除去されている（コンデンサＣ５は、ローパスフィルタとして機能している）。ダイオードＤ２のカソード端子は、トランジスタＴＲ２のベースと電気的に接続されている。このトランジスタＴＲ２のエミッタはグランドと電気的に接続される一方、トランジスタＴＲ２のコレクタは直流電圧＋３．３Ｖ（以下、「＋３．３Ｖ」と記載する。）に引き上げられた抵抗Ｒ７と電気的に接続されている。この＋３．３Ｖに引き上げられた電圧は、コンデンサＣ６により高周波成分が除去されており（コンデンサＣ６は、ローパスフィルタとして機能している）、マルチバイブレータＩＣ２Ａ（マルチバイブレータＩＣ２は、マルチバイブレータＩＣ２Ａ，ＩＣ２Ｂを備えている。）の負論理１Ａ端子と電気的に接続されている。マルチバイブレータＩＣ２Ａの１Ｂ端子、負論理ＣＬＲ端子及びＶＣＣ端子は、＋３．３Ｖと電気的に接続されており、マルチバイブレータＩＣ２ＡのＧＮＤ端子は、グランドと電気的に接続されている。マルチバイブレータＩＣ２ＡのＶＣＣ端子は、グランドと接地されたコンデンサＣ８とも電気的に接続されている。このグランドと接地されたコンデンサＣ８により、＋３．３Ｖの高周波成分が除去されている（コンデンサＣ８は、ローパスフィルタとして機能している）。
【手続補正２２】
【補正対象書類名】明細書
【補正対象項目名】０３２７
【補正方法】変更
【補正の内容】
【０３２７】
１…パチンコ機（遊技機）、２…外枠、３…本体枠、４…遊技盤、５…前面枠、１２…遊技領域、４０…演出装置、７０…振動センサ、１００…主基板、１０１…主制御基板（主制御基板）、１０１ｃ…ＲＡＭ、１０１ｄ…ＲＡＭクリアスイッチ、１１０…周辺基板、１１１…サブ統合基板（周辺制御基板）、１１２…ランプ駆動基板（第２の電源基板）、１１２ｘ…電源制御回路（電源制御回路）、１１２ｘａ…スイッチ回路（スイッチ回路部）、１１２ｘｂ…供給電圧作成回路（測距センサ用電源電圧作成回路部）、１１３…液晶制御基板（周辺制御基板）、１１８ａ…ＬＥＤ基板（補助電源基板）、１１９…測距センサ（測距センサ）、１２０…受信基板、１２０ａ…受信回路、１５０…キャラクタ体（フランケン）、１５２…キャラクタ体（ドラキュラ）、１５４…キャラクタ体（オオカミ男）、１６６…遮蔽部材（ドラキュラ）、１５０ｈ，１５２ｈ，１５３ｆ，１５５…ステッピングモータ、１５０ｎ，１５２ｎ，１５３ｎ，１５４ｎ…フォトセンサ、２７３…電源基板（第１の電源基板）、ＥＣ…電解コンデンサ（電解コンデンサ）。